(57)【特許請求の範囲】
【請求項１】
表面に化粧板を有するパーティクルボードと、該パーティクルボードのヒンジ側に埋設するブロック状の補強部材とを備えてなり、前記パーティクルボードには、前記補強部材を圧入する縦長の長孔を厚さ方向に貫通させて形成し、前記補強部材は、前記パーティクルボードの側端面にねじ込むヒンジ用の固定ビスを拘束し、前記化粧板は、前記補強部材を隠蔽することを特徴とするドア。
【請求項２】
前記パーティクルボードは、左右の側端面にカバー部材を装着することを特徴とする請求項１記載のドア。
【請求項３】
前記パーティクルボードは、上下の端面に防水用の木口テープを装着することを特徴とする請求項２記載のドア。
【請求項４】
表面に化粧板を有するパーティクルボードと、該パーティクルボードのドア側に埋設するブロック状の補強部材とを備えてなり、前記パーティクルボードには、前記補強部材を圧入する縦長の長孔を厚さ方向に貫通させて形成し、前記補強部材は、前記パーティクルボードの側端面にねじ込むヒンジ用の固定ビスを拘束し、前記化粧板は、前記補強部材を隠蔽することを特徴とするドア取付用の仕切りパネル。
【請求項５】
前記パーティクルボードは、少なくとも一方の側端面に戸当り付きのカバー部材を装着することを特徴とする請求項４記載のドア取付用の仕切りパネル。
【請求項６】
前記パーティクルボードは、下端面に防水用の木口テープを装着することを特徴とする請求項５記載のドア取付用の仕切りパネル。
【請求項７】
請求項１ないし請求項３のいずれか記載のドアと、ヒンジを介して前記ドアを開閉自在に装着する請求項４ないし請求項６のいずれか記載の仕切りパネルとを組み合わせてなるドア装置。
【請求項８】
前記仕切りパネルの下部には、レベル調整用の床レールを設け、該床レールの両端部には、調整ねじ付きの蓋部材を取り付けることを特徴とする請求項７記載のドア装置。
【発明の詳細な説明】
【０００１】
【発明の属する技術分野】
この発明は、トイレ室や、シャワー室などの建屋内の小部屋の出入口において、ヒンジを強固に固定することができるドアと、ドア取付用の仕切りパネルと、それらを使用するドア装置に関する。
【０００２】
【従来の技術】
学校、病院、ホテル等のトイレ室や、運動施設のシャワー室、オフィス等に設ける個室などの出入口には、間仕切りシステムの一部を形成するドア装置が取り付けられている。
【０００３】
このようなドア装置は、ドアと、ヒンジを介してドアを開閉自在に装着するドア取付用の仕切りパネルとを組み合わせて構成するのが普通である。ドア、仕切りパネルは、良好な外観と十分な強度とを実現するために、表面に硬度の高いメラミン樹脂等の化粧板を有するパーティクルボードから形成することができる。
【０００４】
なお、ヒンジは、ドア、仕切りパネルを形成するパーティクルボードの側端面に固定ビスをねじ込むことによって取り付けることができる。
【０００５】
【発明が解決しようとする課題】
かかる従来技術によるときは、ヒンジ用の固定ビスは、ドア、仕切りパネルのパーティクルボードの側端面にねじ込まれているから、ドアを乱暴に開閉すると、固定ビスの拘束力が不足して固定ビスが抜け、ドアが仕切りパネルから外れてしまい、短期間のうちに使用不能になってしまうという問題があった。パーティクルボードから形成されるドアや仕切りパネルは、中心部の強度が低く、固定ビスに対する拘束力を十分に大きくすることができないからである。また、固定ビスの抜止め部材をドアや仕切りパネルの側端面に装着するとすれば、全体の体裁を著るしく損ねてしまうという問題がある。
【０００６】
そこで、この発明の目的は、かかる従来技術の問題に鑑み、パーティクルボードに補強部材を埋設することによって、体裁を損ねることなく、固定ビスの拘束力を十分に強化し、全体の耐久性を大きく向上させることができるドアと、ドア取付用の仕切りパネルと、それらを使用するドア装置を提供することにある。
【０００７】
【課題を解決するための手段】
かかる目的を達成するためのこの出願に係る第１発明（請求項１に係る発明をいう、以下同じ）の構成は、表面に化粧板を有するパーティクルボードと、パーティクルボードのヒンジ側に埋設するブロック状の補強部材とを備えてなり、パーティクルボードには、補強部材を圧入する縦長の長孔を厚さ方向に貫通させて形成し、補強部材は、パーティクルボードの側端面にねじ込むヒンジ用の固定ビスを拘束し、化粧板は、補強部材を隠蔽することをその要旨とする。
【０００８】
なお、パーティクルボードは、左右の側端面にカバー部材を装着することができ、上下の端面に防水用の木口テープを装着することができる。
【０００９】
第２発明（請求項４に係る発明をいう、以下同じ）の構成は、表面に化粧板を有するパーティクルボードと、パーティクルボードのドア側に埋設するブロック状の補強部材とを備えてなり、パーティクルボードには、補強部材を圧入する縦長の長孔を厚さ方向に貫通させて形成し、補強部材は、パーティクルボードの側端面にねじ込むヒンジ用の固定ビスを拘束し、化粧板は、補強部材を隠蔽することをその要旨とする。
【００１０】
なお、パーティクルボードは、少なくとも一方の側端面に戸当り付きのカバー部材を装着することができ、下端面に防水用の木口テープを装着することができる。
【００１１】
第３発明（請求項７に係る発明をいう、以下同じ）の構成は、第１発明に係るドアと、ヒンジを介してドアを開閉自在に装着する第２発明に係る仕切りパネルとを組み合わせることをその要旨とする。
【００１２】
なお、仕切りパネルの下部には、レベル調整用の床レールを設け、床レールの両端部には、調整ねじ付きの蓋部材を取り付けることができる。
【００１３】
【作用】
かかる第１発明の構成によるときは、表面に化粧板を有するパーティクルボードは、補強部材をヒンジ側に埋設することによって、固定ビスを長期間強固に拘束することができ、固定ビスを介してパーティクルボードの側端面にヒンジを強固に固定することができる。なお、パーティクルボードとは、接着剤を用いて木材の小片を成形熱圧して形成する合成板材であり、このときの木材の小片は、チップ、フレーク、ウェハー、ストランドなどである。また、化粧板は、フェノール樹脂、尿素樹脂、メラミン樹脂、不飽和ポリエステル樹脂、グアナミン樹脂、ポリウレタン樹脂等の熱硬化性樹脂を使用することができる。
【００１４】
パーティクルボードの側端面にカバー部材を装着するときは、カバー部材は、側端面に露出するパーティクルボードの地肌を隠すとともに、化粧板とパーティクルボードとの接着部を塞ぎ、化粧板の剥がれを防止することができる。
【００１５】
パーティクルボードの端面に防水用の木口テープを装着すれば、木口テープは、パーティクルボードの水の吸上げを防止し、水によるパーティクルボードの膨潤等を防止することができる。
【００１６】
第２発明の構成によるときは、第１発明におけると同様の作用効果を得ることができる。なお、パーティクルボードの側端面に戸当り付きのカバー部材を装着すれば、カバー部材は、戸当りを兼用し、ドアとの隙間を塞ぐことができる。
【００１７】
第３発明の構成によるときは、ドアは、ヒンジを介して仕切りパネルに強固に装着することができる。
【００１８】
仕切りパネルにレベル調整用の床レールを付設すれば、床レールは、蓋部材の調整ねじを介し、仕切りパネルの水平レベルを容易に設定することができる。
【００１９】
【発明の実施の形態】
以下、図面を以って発明の実施の形態を説明する。
【００２０】
ドア装置は、ドア１０と、ヒンジ３０、３０を介してドア１０を開閉自在に装着する仕切りパネル２０とを組み合わせてなる（図１、図２）。ただし、ドア１０は、他のドア１０、１０、仕切りパネル２０、２０…と組み合わせることにより、トイレ室のような小部屋を建屋内に形成している。
【００２１】
ドア１０は、パーティクルボード１１と、化粧板１２、１２と、補強部材１３、１３、カバー部材１５、１５とを主要部材として形成されている（図１、図３）。パーティクルボード１１の側端面には、溝１１ａ、１１ａが形成されており、ヒンジ３０、３０側には、ヒンジ３０、３０に対応して、補強部材１３、１３を収納する孔１１ｂ、１１ｂが上下に開口されている。ただし、図１、図３には、一方のヒンジ３０、孔１１ｂ、補強部材１３のみが図示されている。孔１１ｂは、パーティクルボード１１を厚さ方向に貫通するとともに、上部、下部が半円形の縦長の長孔として形成されている。
【００２２】
補強部材１３は、ナイロンなどのポリアミド樹脂の他、ＡＢＳ樹脂、ポリカーボネート樹脂等により、孔１１ｂに適合するブロック状に形成されている。補強部材１３は、孔１１ｂに圧入することによってパーティクルボード１１に埋設することができる。化粧板１２、１２は、接着剤を介してパーティクルボード１１の内外の表面に貼着されており、孔１１ｂ、１１ｂ、補強部材１３、１３は、化粧板１２、１２を介してパーティクルボード１１内に隠蔽することができる。
【００２３】
パーティクルボード１１の上下の端面には、木口テープ１４、１４が貼着されている。木口テープ１４、１４は、防水性と化粧性とを兼ねるテープであって、表面には、木目等の模様が施されていてもよい。
【００２４】
パーティクルボード１１の左右の側端面には、ビス１５ａ、１５ａ…を介してカバー部材１５、１５が装着されている。カバー部材１５は、アルミニウム等によって所定形状に形成する押出形材であって、長手方向には、ビス１５ａ、１５ａ…用のビス孔１５ｂ、１５ｂ…が形成されている（図３、図４）。カバー部材１５は、同方向に屈曲する一対のリブ１５ｃ、１５ｃが左右に形成されており、リブ１５ｃ、１５ｃの先端には、内側に対向するエッジ１５ｃ1 、１５ｃ1 が形成されている。なお、カバー部材１５は、リブ１５ｃ、１５ｃ、エッジ１５ｃ1 、１５ｃ1 を介し、化粧板１２、１２を含むパーティクルボード１１に対して弾発的に嵌合させることができる。
【００２５】
カバー部材１５は、リブ１５ｃ、１５ｃを介してドア１０の側端部を挟み込み、パーティクルボード１１の側端面を塞ぐことができる。このとき、リブ１５ｃ、１５ｃの先端部は、エッジ１５ｃ1 、１５ｃ1 を介してドア１０の表面に密着し、ドア１０の体裁を良好にすることができる。また、各リブ１５ｃの内側に水切り用の隙間１５ｄを形成することにより、ドア１０の防水性を向上させることができる。なお、パーティクルボード１１の側端面の溝１１ａは、カバー部材１５の座ぐり付きのビス孔１５ｂの逃げとして形成されている。
【００２６】
ドア１０の表面には、取手１６、１６が取り付けられている（図１、図２）。内側の取手１６には、ドアロック用のスライドボルト１６ａが摺動自在に装着されており、外側の取手１６には、スライドボルト１６ａに連動する表示部１６ｂが組み込まれている。なお、表示部１６ｂは、たとえば、スライドボルト１６ａがドア１０をロックしているときに赤を表示し、スライドボルト１６ａがドア１０を開放しているときに青を表示する。すなわち、ドア１０は、外開き用のドアとし、取手１６の表示部１６ｂを介して内部の使用状態を外部に表示することができる。
【００２７】
仕切りパネル２０、２０は、それぞれ、パーティクルボード２１、化粧板２２、２２、補強部材２３、２３、カバー部材２５、２５を主要部材としてなる（図１、図５）。パーティクルボード２１は、ドア１０のパーティクルボード１１と同様に、溝２１ａ、２１ａが側端面に形成され、ドア１０側には、ヒンジ３０、３０に対応して、孔２１ｂ、２１ｂを介して補強部材２３、２３が埋設され、表面には、化粧板２２、２２が装着されている。また、パーティクルボード２１の下端面には、防水用の木口テープ２４が貼着されており、左右の側端面には、ビス２５ａ、２５ａ…を介してカバー部材２５、２５が取り付けられている。
【００２８】
カバー部材２５は、戸当り２５ｄを有する点を除き、ドア１０側のカバー部材１５と同形に形成されている（図４、図５）。すなわち、カバー部材２５は、長手方向にビス孔２５ｂ、２５ｂ…を形成し、エッジ２５ｃ1 付きのリブ２５ｃ、２５ｃを左右に屈曲して形成することにより、各リブ２５ｃの内側に水切り用の隙間２５ｆを形成するようにして、仕切りパネル２０の側端部に装着することができる。
【００２９】
カバー部材２５の戸当り２５ｄは、一方のリブ２５ｃの先端に対し、外側に湾曲するようにして突設されている。戸当り２５ｄの内面には、フック２５ｄ1 、２５ｄ1 が対向して形成されている。なお、ドア１０の先端部に対応する戸当り２５ｄには、フック２５ｄ1 、２５ｄ1 を介してクッション材２５ｅが装着されている（図１、図４）。ただし、ここでは、各カバー部材２５は、仕切りパネル２０に対し、戸当り２５ｄが室内側になるように取り付けられている。
【００３０】
パーティクルボード２１の下部には、ビス２６ｂ、２６ｂ…を介して断面溝形の幅木部材２６が下向きに取り付けられている（図５、図６）。幅木部材２６の上面には、水切り用の溝２６ａ、２６ａが形成されている。幅木部材２６には、ビス２７ａ、２７ａ…を介してフロアＦ上に固定する床レール２７が差し込まれている。床レール２７は、幅木部材２６に適合する溝形に形成されており、左右の辺の上縁部を内側に湾曲させるとともに、各辺の上部には、一対の下向きのフック２７ｂ、２７ｂが形成されている。なお、図６には、ビス２６ｂ、２６ｂ…、２７ａ、２７ａ…は、各１本のみが図示されている。
【００３１】
床レール２７の両端部には、それぞれ蓋部材２９が取り付けられている（図５、図７）。
【００３２】
蓋部材２９は、ブロック状の支持部２９ｂの一面に蓋部２９ａを一体成形して形成されており、蓋部２９ａは、床レール２７の断面形状に合わせて形成され、支持部２９ｂは、床レール２７に内挿可能に形成されている。支持部２９ｂの上面には、床レール２７のフック２７ｂ、２７ｂに対応するガイド溝２９ｃ、２９ｃが左右に形成されており（図７、図８）、各ガイド溝２９ｃは、先端がラッパ状に開拡されている。また、支持部２９ｃの左右両側面には、抜止め用のリブ２９ｄ、２９ｄ…が形成されており、各リブ２９ｄの上端は、ガイド溝２９ｃにまで到達している。一方、支持部２９ｂの中央部には、ナット２９ｅが埋め込まれており、ナット２９ｅには、さらねじからなる調整ねじ２９ｆがねじ込まれている。
【００３３】
そこで、蓋部材２９は、調整ねじ２９ｆを介してパーティクルボード２１を支持し、調整ねじ２９ｆを回転させて上下させ、パーティクルボード２１を上下させることにより、床レール２７を介して仕切りパネル２０のレベルを調整することができる。なお、蓋部材２９は、幅木部材２６とともに、カバー部材２５によって体裁よくカバーすることができる（図９）。
【００３４】
ヒンジ３０は、ドア１０側に装着する回転部材３１と、仕切りパネル２０側に装着する支持部材３２とを組み合わせてなる（図２）。支持部材３２は、上向きのヒンジピン３２ａと、ヒンジピン３２ａの基部に設けるガイド３２ｂと、旗状のブラケット３２ｃとを有する（図５）。ガイド３２ｂの上端面は、斜めに形成されており、全体は、ブラケット３２ｃ、カバー部材２５に挿通する固定ビス３３、３３…を介して仕切りパネル２０の側端面に固定することができる（図１、図５）。このとき、固定ビス３３、３３…は、パーティクルボード２１の側端面からねじ込まれ、対応する補強部材２３の深くにまで到達することができる。
【００３５】
一方、回転部材３１は、支持部材３２のヒンジピン３２ａに対応するピン穴３１ａ、ガイド３２ｂに対応するガイド穴３１ｂが下向きに形成され（図３）、旗状のブラケット３１ｃを有する。なお、ガイド穴３１ｂの上面は、斜めに形成されている。そこで、回転部材３１は、ブラケット３１ｃ、カバー部材１５に挿通する固定ビス３３、３３…を介してドア１０の側端面に固定することができ（図１、図３）、このとき、固定ビス３３、３３…は、対応する補強部材１３の深くにまで到達することができる。
【００３６】
なお、かかるヒンジ３０は、支持部材３２に回転部材３１を組み合わせるとき、前者のガイド３２ｂを後者のガイド穴３１ｂに適切に係合させることにより、ドア１０を回転自在に、しかも、自動閉鎖形または自動開放形のいずれかの態様に組み立てることができる。ドア１０を回転させると、ガイド３２ｂの上面の斜面に対してガイド穴３１ｂの上面の斜面が係合し、ドア１０を上方に押し上げることができ、このようにして押し上げられたドア１０は、重力により、反対方向に戻る方向の回転トルクが与えられるからである。ただし、図１、図２に示されているヒンジ３０は、自動閉鎖形であるものとする。
【００３７】
仕切りパネル２０、２０…の上端は、笠木部材４１を介して連結されている（図２、図６）。ただし、笠木部材４１は、ボルト４１ａ、４１ａ…を介して仕切りパネル２０、２０…に取り付けられている。また、直角に隣接する仕切りパネル２０、２０は、適当な縁部材４２を介して連結されている。
【００３８】
かかるドア装置は、ドア１０、仕切りパネル２０の補強部材１３、１３、２３、２３により、ヒンジ３０、３０用の固定ビス３３、３３…を強力に拘束することにより、固定ビス３３、３３…を有効に抜止めし、ドア１０を強固に装着することができる（図１）。また、仕切りパネル２０側のカバー部材２５の戸当り２５ｄは、仕切りパネル２０とドア１０との間の隙間を塞ぐ。さらに、ドア１０の先端側に対応する戸当り２５ｄは、クッション材２５ｅを介してドア１０の閉鎖位置を規制するとともに、スライドボルト１６ａをロック位置にスライドさせることにより、ドア１０を開放不能にロックすることができる（同図の実線）。
【００３９】
【他の実施の形態】
仕切りパネル２０は、ヒンジ３０、３０を介してドア１０を内開き用に支持してもよい（図１０）。
【００４０】
仕切りパネル２０、２０には、戸当り２５ｄ、２５ｄが室外側になるように、カバー部材２５、２５が装着されている。ドア１０は、内側に取手１６を装着し、取手１６は、ドア１０の先端方向に摺動自在なスライドボルト１６ａを備えている。なお、ドア１０の先端側の仕切りパネル２０の室内側には、スライドボルト１６ａの受け１６ｃが取り付けられている。受け１６ｃは、スライドボルト１６ａの先端部を収納し得る箱形に形成されている。また、各ヒンジ３０は、自動開放形であるものとする。
【００４１】
ドア１０は、閉鎖位置においてスライドボルト１６ａを受け１６ｃに挿入すると、開放不能にロックされ（図１０の実線）、スライドボルト１６ａをドア１０側に移動させると、ヒンジ３０、３０を介して自動的に室内側に開放することができる（同図の二点鎖線）。
【００４２】
以上の説明において、ヒンジ３０は、自動閉鎖形、自動開放形にすることなく、一般的なヒンジに代えてもよい。また、仕切りパネル２０のカバー部材２５、２５は、ドア１０側の側端面にのみ取り付ければよく、必ずしも両側端面に取り付ける必要はない。
【００４３】
なお、ドア１０は、仕切りパネル２０に取り付けるに代えて、他の任意の材料からなるドア枠に取り付けてもよい。
【００４４】
【発明の効果】
以上説明したように、この出願に係る各発明によれば、パーティクルボードに補強部材を埋設することによって、補強部材は、パーティクルボードの側端面からねじ込むヒンジ用の固定ビスを強力に拘束することができるから、固定ビスは、ヒンジに大きな荷重が加わったときにもパーティクルボードから抜けることがなく、全体の耐久性を格段に向上させることができる上、補強部材が外部から見えず、全体を体裁よく仕上げることができるという優れた効果がある。
【図面の簡単な説明】
【図１】  全体構成横断面説明図
【図２】  全体構成斜視図
【図３】  要部分解斜視説明図（１）
【図４】  図１の要部拡大説明図
【図５】  要部分解斜視説明図（２）
【図６】  図２のＸ−Ｘ線矢視相当拡大断面図
【図７】  図５のＹ−Ｙ線矢視相当拡大断面図
【図８】  図５のＺ線矢視相当拡大図
【図９】  要部斜視図
【図１０】  他の実施の形態を示す図１相当図
【符号の説明】
１０…ドア
２０…仕切りパネル
１１、２１…パーティクルボード
１２、２２…化粧板
１３、２３…補強部材
１４、２４…木口テープ
１５、２５…カバー部材
２５ｄ…戸当り
２７…床レール
２９…蓋部材
２９ｆ…調整ねじ
【図１】
0003648611.tif 000002
【図２】
0003648611.tif 000003
【図３】
0003648611.tif 000004
【図４】
0003648611.tif 000005
【図５】
0003648611.tif 000006
【図６】
0003648611.tif 000007
【図７】
0003648611.tif 000008
【図８】
0003648611.tif 000009
【図９】
0003648611.tif 000010
【図１０】
0003648611.tif 000011